(57)【要約】【課題】液晶等の電気光学装置において、明るく、適切な色調を表示可能とする。【解決手段】表示装置の駆動方法は、色調が互いに異なる複数の光を、複数の画素部を有する表示領域（２００）に対して時分割で照射する照射工程と、複数の光に係る発光期間の各々に対応するように且つ時間軸上で連続するように規定された複数のフィールド毎に、画素部に供給される表示用データを、表示領域で表示される際の明るさ及び色調の少なくとも一方が所望の値に近付くように設定された、所定の変換法則を用いて変換する変換工程と、変換された表示用データを、前記画素部に前記複数のフィールド毎に順次供給する供給工程とを備える。【選択図】図３
2009075508.tif 000002
【特許請求の範囲】
【請求項１】
色調が互いに異なる複数の光を、複数の画素部を有する表示領域に対して時分割で照射する照射工程と、
前記複数の光に係る発光期間の各々に対応するように且つ時間軸上で連続するように規定された複数のフィールド毎に、前記画素部に供給される表示用データを、前記表示領域で表示される際の明るさ及び色調の少なくとも一方が所望の値に近付くように設定された、所定の変換法則を用いて変換する変換工程と、
前記変換された表示用データを、前記画素部に前記複数のフィールド毎に順次供給する供給工程と
を備えることを特徴とする表示装置の駆動方法。
【請求項２】
前記複数のフィールドを、前記複数の光に係る発光期間の各々に対応するように且つ時間軸上で連続するように設定する設定工程を更に含み、
前記変換工程は、前記設定された複数のフィールド毎に、前記表示用データを変換する
ことを特徴とする請求項１に記載の表示装置の駆動方法。
【請求項３】
前記複数のフィールドを、前記表示領域で表示される際の明るさ及び色調の少なくとも一方が所望の値に近付くように、前記表示用データに応じて設定する設定工程を更に備え、
前記変換工程は、前記設定された複数のフィールド毎に、前記表示用データを変換する
ことを特徴とする請求項１に記載の駆動方法。
【請求項４】
前記画素部は液晶を含んでおり、
前記複数のフィールドは、前記液晶の応答時間に基づいて規定される
ことを特徴とする請求項１から３のいずれか一項に記載の表示装置の駆動方法。
【請求項５】
前記画素部は液晶を含んでおり、
前記変換法則は、前記液晶の応答時間に基づいて設定される
ことを特徴とする請求項１から４のいずれか一項に記載の表示装置の駆動方法。
【請求項６】
前記画素部は液晶を含んでおり、
該液晶は、ツイステッドネマチック液晶である
ことを特徴とする請求項１から５のいずれか一項に記載の表示装置の駆動方法。
【請求項７】
前記複数のフィールドは、前記表示領域における前記画素部の位置毎に規定されることを特徴とする請求項１から６のいずれか一項に記載の表示装置の駆動方法。
【請求項８】
前記変換法則は、前記表示領域における前記画素部の位置毎に設定されることを特徴とする請求項１から７のいずれか一項に記載の表示装置の駆動方法。
【請求項９】
前記複数の光に係る発光期間の各々は、対応する前記複数のフィールドの各々よりも短いことを特徴とする請求項１から８に記載の表示装置の駆動方法。
【請求項１０】
前記変換された表示用データを、一時的に保存する工程を更に備え、
前記供給工程は、前記保存された表示用データを、前記画素部に順次供給する
ことを特徴とする請求項１から９のいずれか一項に記載の表示装置の駆動方法。
【請求項１１】
色調が互いに異なる複数の光を、複数の画素部を有する表示領域に対して時分割で照射する照射手段と、
前記複数の光に係る発光期間の各々に対応するように且つ時間軸上で連続するように規定された複数のフィールド毎に、前記画素部に供給される表示用データを、前記表示領域で表示される際の明るさ及び色調の少なくとも一方が所望の値に近付くように設定された、所定の変換法則を用いて変換する変換手段と、
前記変換された表示用データを、前記画素部に前記複数のフィールド毎に順次供給する供給手段と
を備えることを特徴とする表示装置の駆動回路。
【請求項１２】
請求項１１に記載の駆動回路を具備してなることを特徴とする電気光学装置。
【請求項１３】
請求項１２に記載の電気光学装置を具備してなることを特徴とする電子機器。
【発明の詳細な説明】
【技術分野】
【０００１】
本発明は、例えば液晶表示装置等の表示装置の駆動方法及び駆動回路、並びに電気光学装置、及び該電気光学装置を備えた、例えば液晶プロジェクタ等の電子機器の技術分野に関する。
【背景技術】
【０００２】
液晶表示装置等の表示装置の駆動方法として、バックライトを赤、緑、青と周期的に発光させることで、フルカラー表示を実現するフィールドシーケンシャル駆動が提案されている。このような駆動方法においては、バックライトが色調毎に独立して発光することにより、表示の際の混色が発生し易くなるため、混色の発生を防止或いは低減するための技術が提案されている。
【０００３】
例えば特許文献１では、液晶パネルにリセット期間を設け、書き込み開始時の画面輝度分布を均一にするという技術が開示されている。
【０００４】
【特許文献１】特開平１１−２３７６０６号公報
【発明の開示】
【発明が解決しようとする課題】
【０００５】
しかしながら、上述したような技術では、リセット期間において、一旦画面上に黒を表示させることになるため、その後の液晶の応答時間が長くなってしまう。これにより、例えばバックライトの発光期間において液晶の応答が十分な状態とならず、結果的に表示の際の明るさが低下してしまうという技術的問題点がある。
【０００６】
本発明は、例えば上述した問題点に鑑みなされたものであり、液晶表示装置等の表示装置において、明るく、適切な色調を表示可能とする駆動方法及び駆動回路、並びに電気光学装置、及び該電気光学装置を備えた電子機器を提供することを課題とする。
【課題を解決するための手段】
【０００７】
本発明の表示装置の駆動方法は上記課題を解決するために、色調が互いに異なる複数の光を、複数の画素部を有する表示領域に対して時分割で照射する照射工程と、前記複数の光に係る発光期間の各々に対応するように且つ時間軸上で連続するように規定された複数のフィールド毎に、前記画素部に供給される表示用データを、前記表示領域で表示される際の明るさ及び色調の少なくとも一方が所望の値に近付くように設定された、所定の変換法則を用いて変換する変換工程と、前記変換された表示用データを、前記画素部に前記複数のフィールド毎に順次供給する供給工程とを備える。
【０００８】
本発明に係る表示装置の駆動方法によれば、先ず色調が互いに異なる複数の光が、複数の画素部を有する表示領域に対して時分割で照射される。即ち、複数の光は、フィールドシーケンシャル駆動方式により、一つずつ独立して表示領域へと照射される。尚、このような複数の光の照射は、例えば６０Ｈｚ程度の速さで周期的に行われる。複数の光は、例えば色別のＬＥＤなどの、複数の光源から照射されてもよいし、或いは、例えば複数の光を含む白色光源などの、一つの光源から照射されてもよい。複数の光源の場合には、投射用の光源光又はバックライトとして、時々刻々と色が変化する光が、電気光学装置の各画素に入射される。この際、例えば、合成プリズムなどの合成光学系を経ることで、同一光路上で時々刻々と色が変化する光として電気光学装置に入射される。或いは、一つの光源の場合には、例えば、回転するカラーフィルタなどを経ることで、やはり同一光路上で時々刻々と色が変化する光として電気光学装置に入射される。
【０００９】
ここで本発明では特に、画素部に供給される表示用データが、複数のフィールド毎に変換される。ここで、「複数のフィールド」とは、各光の発光期間に対応するように且つ時間軸上で連続するように規定された期間であり、一の光の発光期間に対して、一のフィールドが規定される。複数のフィールドは、典型的には、発光期間に同期するものとして又は発光期間に対して特定の関係を有するものとして、予め設定される。或いは、リアルタイム的に、発効期間に応じて又は表示用データに応じて（即ち、表示品質向上のために利用される一パラメータとして）可変設定されてもよい。
【００１０】
複数のフィールド毎に表示用データを変換することで、各発光期間に対応した（即ち、複数の光の各色調に対応した）、より適切な変換が可能となる。ただし本発明では、一の発光期間に対応して規定された一のフィールドにおける変換が、一の発光期間に係る明るさ及び色調に対してのみ効果を発揮するとは限らない。即ち、一のフィールドにおける変換は、例えば直前又は直後のフィールドに対応した、他の発光期間に係る明るさ及び色調に対して効果を発揮するものであってもよい。
【００１１】
上述した変換は、所定の変換法則を用いて行われる。尚、「所定の変換法則」とは、表示領域での表示が所望の明るさ及び色調に近付くように、予め理論的に或いは実験的に求められ設定される法則である。即ち、表示用データは、所望の明るさ及び色調により近い表示が行えるように変換される。このような変換は、典型的には、フィールド毎に変換法則に基づいた変換テーブルが用意されることで行われる。
【００１２】
変換された表示用データは、画素部に対して複数のフィールド毎に順次供給される。即ち、表示用データは、複数の光に係る発光期間に対応するタイミングで画素部に供給される。よって、表示領域では、所望の明るさ及び色調により近い表示が可能となる。
【００１３】
以上説明したように、本発明に係る表示装置の駆動方法によれば、複数のフィールド毎に表示用データを変換することで、表示領域での表示を所望の明るさ及び色調に近付けることが可能となる。
【００１４】
本発明の表示装置の駆動方法の一態様では、前記複数のフィールドを、前記複数の光に係る発光期間の各々に対応するように且つ時間軸上で連続するように設定する設定工程を更に含み、前記変換工程は、前記設定された複数のフィールド毎に、前記表示用データを変換する。
【００１５】
この態様によれば、複数のフィールドが、複数の光に係る発光期間の各々に対応するように且つ時間軸上で連続するように設定される。即ち、各発光期間に対応するように、複数のフィールドの各々の期間及び開始時期等が設定される。よって、複数のフィールド毎に、表示用データを変換し、変換したデータを画素部に順次供給することができる。従って、より確実に、表示領域での表示を所望の明るさ及び色調に近付けることが可能となる。
【００１６】
本発明の表示装置の駆動方法の他の態様では、前記複数のフィールドを、前記表示領域で表示される際の明るさ及び色調の少なくとも一方が所望の値に近付くように、前記表示用データに応じて設定する設定工程を更に備え、前記変換工程は、前記設定された複数のフィールド毎に、前記表示用データを変換する。
【００１７】
この態様によれば、複数のフィールドが、表示領域で表示される際の明るさ及び色調の少なくとも一方が所望の値に近付くように、表示用データに応じて設定される。即ち、複数のフィールドは、複数のフィールド毎の変換がより好適に行えるように、表示用データに応じて設定される。複数のフィールドは、典型的には、複数のフィールドの各々の期間及び開始時期のうち少なくとも一方を、表示用データに応じてリアルタイムで可変設定される。これにより、表示用データの変換は、より好適に行われることとなる。従って、表示領域での表示を、より所望の明るさ及び色調に近付けることが可能となる。
【００１８】
本発明の表示装置の駆動方法の他の態様では、前記画素部は液晶を含んでおり、前記複数のフィールドは、前記液晶の応答時間に基づいて規定される。
【００１９】
この態様によれば、表示領域における画素部は液晶を含んでいる。画素部が液晶を含む場合、画素部に表示用データが供給されてから、供給された表示用データに基づく表示が可能となるまでに、液晶が画像を表示可能な状態へと移動される時間（即ち、応答時間）がかかる。
【００２０】
しかるに本態様では特に、複数のフィールドが、液晶の応答時間に基づいて規定される。即ち、液晶の応答時間によって、フィールドの期間や開始位置等が変化する。このため、液晶の応答時間に応じた、表示用データの変換及び供給が可能となる。尚、液晶の応答時間は、個々の装置に固有の値であり、装置が特定されれば機知となるので、予め設定可能である。
【００２１】
液晶の応答時間に応じた、表示用データの変換及び供給を行えることで、例えば液晶の応答が間に合わずに、十分な明るさを確保できないような状態や、適切な色調を表示することができないような状態が発生してしまうことを防止することができる。従って、より好適に、表示領域での表示を所望の明るさ及び色調に近付けることが可能となる。
【００２２】
本発明の表示装置の駆動方法の他の態様では、前記画素部は液晶を含んでおり、前記変換法則は、前記液晶の応答時間に基づいて設定される。
【００２３】
この態様によれば、表示領域における画素部は液晶を含んでいる。このため、上述したように、表示領域での表示が可能となるためには、液晶の応答時間がかかる。
【００２４】
しかるに本態様では特に、変換法則が液晶の応答時間に基づいて設定される。即ち、液晶の応答時間によって、より好適な変換が行えるように変換法則が設定される。液晶の応答時間に応じた表示用データの変換を行えることで、例えば液晶の応答が間に合わずに、十分な明るさを確保できないような状態や、適切な色調を表示することができないような状態が発生してしまうことを防止することができる。従って、より好適に、表示領域での表示を所望の明るさ及び色調に近付けることが可能となる。
【００２５】
本発明の表示装置の駆動方法の他の態様では、前記画素部は液晶を含んでおり、該液晶は、ツイステッドネマチック液晶である。
【００２６】
この態様によれば、表示領域における画素部はツイステッドネマチック液晶（以下、適宜「ＴＮ液晶」と称する。）を含んでいる。ＴＮ液晶は、例えばＶＡ（Vertical Alignment）液晶やＩＰＳ（In-Place-Switching）液晶等と比較して、液晶の応答時間が長い。
【００２７】
しかるに本態様では特に、上述したように、複数のフィールド毎に表示用データを変換することで、表示領域での表示を所望の明るさ及び色調に近付けることが可能である。より具体的には、例えば液晶の応答が間に合わずに、十分な明るさを確保できないような状態や、適切な色調を表示することができないような状態が発生してしまうことを防止することができる。尚、上述したような効果は、液晶の応答時間が長くなる程、より顕著に発揮されることとなる。
【００２８】
従って、本態様に係る表示装置の駆動方法によれば、画素部がＴＮ液晶を含んでおり、液晶の応答時間が比較的長いため、表示領域での表示を所望の明るさ及び色調に近付けるという効果が、極めて顕著に発揮される。
【００２９】
尚、ＶＡ液晶やＩＰＳ液晶を用いて、駆動周波数をより高める際には、これらの液晶をしても相対的には液晶の応答が遅くなることから、本発明は極めて有効となる。
【００３０】
本発明の表示装置の駆動方法の他の態様では、前記複数のフィールドは、前記表示領域における前記画素部の位置毎に規定される。
【００３１】
この態様によれば、複数のフィールドが、表示領域における画素部の位置毎に規定されるため、画素部の位置によって、フィールドの期間や開始位置が変化する。尚、ここでの「画素部の位置毎」とは、画素部毎を含むほか、複数の画素部からなるブロック、行及び列毎などでもよく、いずれの場合にも、このような画素部の位置に適したフィールドの期間或いは時期は、装置が特定されれば機知となるので、予め設定可能である。フィールドの規定され方は、典型的には、表示領域における走査の順番に対応しており、例えば垂直走査の場合は、表示領域の垂直方向でフィールドの期間や開始位置が異なる。
【００３２】
複数のフィールドが画素部の位置毎に規定されることで、例えば画素部を順番に走査して表示を行う場合等に、画素部の位置による表示用データの供給の時間的なズレを補正するような変換が可能となる。従って、より好適に、表示領域での表示を所望の明るさ及び色調に近付けることが可能となる。
【００３３】
本発明の表示装置の駆動方法の他の態様では、前記変換法則は、前記表示領域における前記画素部の位置毎に設定される。
【００３４】
この態様によれば、変換法則が、表示領域における画素部の位置毎に設定されるため、画素部の位置によって、表示用データが異なる変換法則によって変換される。変換法則が画素部の位置毎に規定されることで、例えば画素部を順番に走査して表示を行う場合等に、画素部の位置による表示用データの供給の時間的なズレを補正するような変換が可能となる。従って、より好適に、表示領域での表示を所望の明るさ及び色調に近付けることが可能となる。
【００３５】
本発明の表示装置の駆動方法の他の態様では、前記複数の光に係る発光期間の各々は、対応する前記複数のフィールドの各々よりも短い。
【００３６】
この態様によれば、複数の光に係る発光期間の各々が、対応する複数のフィールドの各々よりも短いため、複数のフィールドの各々において、発光期間以外の期間（即ち、複数の光が照射されていない期間）が存在する。尚、典型的には、一の発光期間の終了位置と、該一の発光期間に対応するフィールドの終了位置とが揃うようにフィールドが規定される。
【００３７】
発光期間以外の期間は表示に寄与する割合が比較的小さい。即ち、表示の明るさや色調に寄与する割合が小さい。言い換えれば、発光期間以外の期間の状態によらず、発光期間において適切な表示が行えるような状態であれば、全体としての表示が適切に行われる。よって、例えば画素部が液晶を含む場合において、発光期間以外の期間に液晶が駆動されるようにすれば、発光期間の開始までに液晶を十分に応答させることが可能となる。従って、所望の明るさ及び色調に近付けた表示が可能となる。
【００３８】
以上説明したように、本態様に係る表示装置の駆動方法によれば、発光期間以外の期間が存在することで、より好適に、表示領域での表示を所望の明るさ及び色調に近付けることが可能となる。
【００３９】
本発明の表示装置の駆動方法の他の態様では、前記変換された表示用データを、一時的に保存する工程を更に備え、前記供給工程は、前記保存された表示用データを、前記画素部に順次供給する。
【００４０】
この態様によれば、所定の変換法則を用いて変換された表示用データは、一時的に保存される。即ち、変換された表示用データは、例えば一又は複数のフレーム分の表示用データを格納可能なフレームバッファなどのメモリ装置等に一旦保存された後に画素部へと供給される。尚、変換された表示用データの全てが保存されなくともよく、保存されるものと、直接（即ち、保存されずに）画素部へ供給されるものが混在してもよい。
【００４１】
本態様では特に、変換された表示用データが一時的に保存されることで、保存された表示用データを、例えば複数の光の発光期間に対応するタイミングで、順次画素部へと供給することが可能となる。即ち、表示用データを所望のタイミングで画素部に供給することが可能となる。よって、より好適に、表示領域での表示を所望の明るさ及び色調に近付けることが可能となる。
【００４２】
本発明の表示装置の駆動回路は上記課題を解決するために、色調が互いに異なる複数の光を、複数の画素部を有する表示領域に対して時分割で照射する照射手段と、前記複数の光に係る発光期間の各々に対応するように且つ時間軸上で連続するように規定された複数のフィールド毎に、前記画素部に供給される表示用データを、前記表示領域で表示される際の明るさ及び色調の少なくとも一方が所望の値に近付くように設定された、所定の変換法則を用いて変換する変換手段と、前記変換された表示用データを、前記画素部に前記複数のフィールド毎に順次供給する供給手段とを備える。
【００４３】
本発明に係る表示装置の駆動回路によれば、上述した本発明の表示装置の駆動方法の場合と同様に、複数のフィールド毎に表示用データを変換することで、表示領域での表示を所望の明るさ及び色調に近付けることが可能となる。
【００４４】
尚、本発明の表示装置の駆動回路においても、上述した本発明の表示装置の駆動方法における各種態様と同様の各種態様を採ることが可能である。
【００４５】
本発明の電気光学装置は上記課題を解決するために、上述した駆動回路を具備してなる。
【００４６】
本発明の電気光学装置によれば、上述した本発明に係る表示装置の駆動回路を具備してなるので、所望の明るさ及び色調により近い表示が可能である。
【００４７】
本発明の電子機器は上記課題を解決するために、上述した本発明の電気光学装置を具備してなる。
【００４８】
本発明の電子機器によれば、上述した本発明に係る電気光学装置を具備してなるので、所望の明るさ及び色調により近い表示が可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００４９】
本発明の作用及び他の利得は次に説明する実施するための最良の形態から明らかにされる。
【発明を実施するための最良の形態】
【００５０】
以下では、本発明の実施形態について図を参照しつつ説明する。
【００５１】
＜駆動方法及び駆動回路＞
本発明の駆動方法及び駆動回路について、図１から図８を参照して説明する。尚、ここでは、駆動される「表示装置」の一例として、液晶パネルを有する液晶装置を例にとり説明する。
【００５２】
先ず、本実施形態に係る駆動回路の構成について、図１を参照して説明する。ここに図１は、実施形態に係る駆動回路の構成を示すブロック図である。
【００５３】
図１において、本実施形態に係る駆動回路は、本発明の「照射手段」の一例である光源１１０と、本発明の「変換手段」の一例である変換部１２０と、本発明の「供給手段」の一例であるコントローラ１３０と、フレームメモリ１４０とを備えて構成されている。
【００５４】
光源１１０は、例えば複数の発光ダイオード（ＬＥＤ：Light Emitting Diode）から構成されており、複数のＬＥＤは夫々、Ｒ（赤色）、Ｇ（緑色）、Ｂ（青色）の光を出射する。複数のＬＥＤは、発光期間が互いに重ならないように、夫々周期的に光を出射する。出射された光は、例えば合成プリズム等によって合成されて、液晶パネル２００へと照射される。尚、一つの光源から色調が異なる複数の光が出射されるようにしてもよい。
【００５５】
変換部１２０は、例えば演算回路やメモリ等を含んで構成されており、上述したＲ、Ｇ、Ｂの光の各々に対応して入力される表示用データを、所定の変換法則に基づいて変換し出力する。本実施形態では特に、予め設定された変換規則に基づいて作成された変換テーブル１２０ａを有する。
【００５６】
コントローラ１３０は、例えばＣＰＵ（Central Processing Unit）等の論理演算回路を含んで構成されており、入力された表示用データを一時的にフレームメモリ１４０に保存し、保存したデータを順次読み出して、液晶パネル２００へと供給する。また、表示用データを出力すると共に、光源１１０に対して、発光タイミング制御信号を出力する。コントローラ１３０は、上述したような動作の他、駆動回路或いは表示装置全体の制御を行うように構成されてもよい。また、コントローラ１３０に、上述した変換部１２０が含まれるように構成してもよい。
【００５７】
次に、本実施形態に係る駆動方法について、図１に加えて、図２から図８を参照して説明する。ここに図２は、緑色（Ｇ）を表示する際の液晶制御に係る比較例を示すグラフであり、図３は緑色（Ｇ）を表示する際の液晶制御を示すグラフである。図４は、変換部において用いられる変換テーブルの一例を示すテーブル図である。図５は、黄色（Ｙ）を表示する際の液晶制御に係る比較例を示すグラフであり、図６は黄色（Ｙ）を表示する際の液晶制御を示すグラフである。図７は、液晶パネルにおける異なる位置での液晶制御に係る比較例を示すグラフであり、図８は、液晶パネルにおける異なる位置での液晶制御を示すグラフである。尚、以下では本発明の駆動方法が、上述した駆動回路によって実現される場合を例にとり説明する。また、表示用データの供給によって制御される、液晶パネル２００における光の透過率（以下、適宜「パネル透過率」と称する。）は、０〜２５５の値として表されるものとする。
【００５８】
図２において、本実施形態に係る駆動方法の比較例では、単色のＧを表示する場合、各フィールドにおけるパネル透過率が、Ｒフィールドにおいては‘０’、Ｇフィールドにおいては‘２５５’、Ｂフィールドにおいては‘０’となるように液晶が制御される。即ち、図に鎖線で示すように、Ｇの光が照射されるＧフィールドにおいてパネル透過率が最大となるように液晶が制御される。
【００５９】
しかしながら、液晶装置においては液晶の応答時間がかかるため、Ｇフィールドが開始した時点でパネル透過率が‘２５５’となるように液晶を制御したとしても、実際のパネル透過率は、図に実線で示すように、‘２５５’には到達しない。このような場合、液晶はＧの光を十分に透過することができないため、液晶パネル２００における表示の明るさは低減してしまう。
【００６０】
図３において、本実施形態に係る駆動方法では、表示用データが変換部１２０（図１参照）において変換される。ここでの変換は、変換テーブル１２０ａを用いることによって行われる。より具体的には、Ｒフィールドにおける表示用データとして送られてくるデータは、図４（ａ）に示すような変換テーブル１２０ａによって変換される。即ち、例えば液晶パネル２００においてＲを表示する場合には、パネル透過率を‘２５５’とするようなデータへと変換され、Ｂを表示する場合には、パネル透過率を‘０’とするようなデータへと変換される。変換された表示用データは、第１フィールドに対応するデータＦ１として出力される。同様に、Ｇフィールドにおける表示用データは、図４（ｂ）に示すようなテーブルによって変換され、第２フィールドに対応するデータＦ２として出力される。また、Ｂフィールドにおける表示用データは、図４（ｃ）に示すようなテーブルによって変換され、第３フィールドに対応するデータＦ３として出力される。ここで、例えばＲ、Ｇ及びＢを夫々２５５段階で表すとすると、変換テーブル１２０ａは２５５×２５５×２５５列を有することになる。但し、使用しない色調や似通った色調を適宜省略することで、簡単化することも可能である。このような変換テーブル１２０ａは、例えば実際に表示装置にデータを供給し、表示領域における表示の明るさ及び色調を目視で確認しつつ、所望の明るさ及び色調に近付くように、各フィールドにおける透過率の調整を行うことで求められる。
【００６１】
また、求められる変換テーブル１２０ａは１種類でなくともよい。即ち、相異なる変換規則によって同様の色調を表示できるように変換可能な場合には、変換規則毎に複数の変換テーブル１２０ａを設定し、それらを選択的に用いて変換するようにしてもよい。尚、後に詳述するように、液晶パネル２００の位置毎に複数の変換テーブル１２０ａが設定されるようにしてもよい。
【００６２】
上述した変換により、表示用データは、各フィールドにおけるパネル透過率を、第１フィールドにおいては‘１０’、第２フィールドにおいては‘２５５’、第３フィールドにおいては‘０’とするような値とされる。尚、ここでの第１フィールド、第２フィールド及び第３フィールドは夫々、上述した比較例におけるＲフィールド、Ｇフィールド及びＢフィールドに対応した形となっているが、各フィールドが持つ性質は異なっている。具体的には、Ｒフィールド、Ｇフィールド及びＢフィールドが、夫々Ｒ、Ｇ及びＢの色を表示するためのフィールドであるのに対し、第１フィールド、第２フィールド及び第３フィールドは、夫々がＲ、Ｇ及びＢ全ての色の表示に寄与し得る。即ち、例えばＲの発光期間を含む第１フィールドにおける液晶の制御が、Ｇの表示に寄与する場合もある。上述したようなフィールドは、例えば液晶の応答時間等に基づいて、予め期間や開始位置が規定されてもよいし、供給される表示用データ等に応じて、リアルタイムで可変に規定されるようにしてもよい。
【００６３】
図１において、変換された表示用データは、変換部１２０からコントローラ１３０に送られる。コントローラ１３０は、入力された表示用データをフレームメモリ１４０に一時的に保存した後、フィールド毎に液晶パネル２００へと順次供給する。液晶パネル２００では、供給された表示用データに応じて、フィールド毎にパネル透過率が制御される。他方で、コントローラ１３０は、表示用データの供給と共に、発光タイミング制御信号を光源１１０に対して出力している。これにより、光源１１０の発光期間と、表示用データの液晶パネル２００への供給タイミングとが同期され、適切な表示を行うことが可能となる。
【００６４】
図３に戻り、第１フィールドにおいて、パネル透過率が‘１０’となるように制御されると、第２フィールドが開始する時点で、パネル透過率が高められた状態となる。このため、第２フィールドにおいて、パネル透過率が‘２５５’となるように制御すると、図に示すように、実際のパネル透過率も‘２５５’近くまで上昇する。よって、液晶パネル２００はＧの光を十分に透過し、その結果、より明るい表示が可能となる。
【００６５】
尚、本実施形態では、Ｒの発光期間においてもパネルの透過率を高めているため、液晶パネル２００はＲの光を多少透過してしまうことになる。即ち、表示すべきＧの光以外の光が液晶パネル２００を透過することにより、混色が発生してしまう。しかしながら、上述したようにＧの光の透過率が大幅に向上するため、Ｒ及びＧの混色による影響は視覚的に殆ど感じられないまでに低減できる。また、変換部１２０において、このような混色の影響を効果的に低減できるような変換テーブル１２０ａを用意しておくことにより、より確実に混色の影響を低減することが可能である。
【００６６】
次にＲ及びＧの中間色であるＹ（黄色）を表示させる場合の制御について説明する。
【００６７】
図５において、本実施形態に係る駆動方法の比較例では、Ｙを表示する場合、各フィールドにおけるパネル透過率が、Ｒフィールドにおいては‘２５５’、Ｇフィールドにおいては‘２５５’、Ｂフィールドにおいては‘０’となるように液晶が制御される。即ち、図に鎖線で示すように、Ｙを表示するためのＲ及びＧフィールドにおいてパネル透過率が最大となるように液晶が制御される。
【００６８】
しかしながら、上述したように液晶装置では液晶の応答時間がかかるため、図に実線で示すように、Ｇの発光期間にはパネルの透過率が‘２５５’近くになるものの、Ｒの発光期間においては、十分なパネル透過率が得られない。このため、上述したＧを表示させる場合と同様に、液晶パネル２００における表示の明るさは低減してしまい、これに加え、表示される色調も変化してしまう。即ち、Ｒフィールドにおけるパネル透過率と、Ｇフィールドにおけるパネル透過率とに大きな差が発生するため、表示されるＹの色調は、Ｒに比べてＧの割合が高いものとなってしまう。
【００６９】
図６において、本実施形態に係る駆動方法では、各フィールドにおけるパネル透過率が、第１フィールドにおいては‘２５５’、第２フィールドにおいては‘２１０’、第３フィールドにおいては‘７０’となるように制御される。このように制御すれば、図に実線で示すように、Ｒの発光期間におけるパネル透過率が‘２５５’近くまで上昇する。これは、第１フィールドの直前に位置する第３フィールドにおいて、パネル透過率を‘０’とせずに‘７０’としたことによる。即ち、第３フィールドにおいても、液晶をある程度応答させた状態に維持することで、Ｒの発光期間におけるパネル透過率を向上させている。続く第２フィールドでは、パネル透過率を‘２１０’となるように制御することで、Ｒの光の透過率及びＧの光の透過率の割合が近付くように制御される。よって、表示される色調は、よりＹに近付けられる。
【００７０】
尚、本実施形態では、Ｙの表示には使用されないＢの光が液晶を透過することにより、混色が発生してしまうことになるが、Ｒ及びＧの光の透過率が共に高められているため、混色による影響は視覚的に殆ど感じられないまでに低減できる。このように、本実施形態に係る駆動方法では、液晶パネル２００における表示を、より明るくすることに加えて、より適切な色調に近付けることが可能である。
【００７１】
上述した液晶の制御は、表示用データが発光期間の終了するタイミングで供給されるような場合であるが、例えば液晶パネル２００に対して、垂直走査によって表示用データを供給する場合においては、液晶パネル２００の上下方向で表示用データの供給されるタイミングが異なる。以下では、垂直走査を行う場合の液晶パネル２００の中心付近における液晶の制御を例にとり、液晶パネル２００の位置による駆動方法の違いを説明する。
【００７２】
垂直走査によって表示用データが供給される場合には、液晶パネル２００の上側から順に走査を行うため、液晶パネル２００の下側である程、表示用データの供給されるタイミングが遅くなる。例えば、走査が最も早く行われる最上部では、図２から図６に示すように、各発光期間の終了するタイミングに合わせて表示用データが供給される。これに対し、液晶パネル２００の中心付近においては、表示用データは、各発光期間の終了からしばらくして供給される。
【００７３】
図７において、本実施形態に係る駆動方法の比較例では、単色のＧを表示する場合、各フィールドにおけるパネル透過率が、Ｒフィールドにおいては‘０’、Ｇフィールドにおいては‘２５５’、Ｂフィールドにおいては‘０’となるように液晶が制御される。ここで特に、表示用データの供給が遅れると、図に示すように、液晶の応答も遅れる。即ち、図２と比較した場合、パネル透過率を示す実線部分は図の右側にシフトする。このように液晶が制御された場合、Ｇの発光期間においては、パネルの透過率は極めて低く、Ｇの光は十分に透過されない。従って、表示の明るさは、図２に示すような場合と比較して、より低減してしまう。
【００７４】
図８において、本実施形態に係る駆動方法では、各フィールドにおけるパネル透過率が、第１フィールドにおいては‘６０’、第２フィールドにおいては‘２５５’、第３フィールドにおいては‘０’となるように制御される。ここで仮に、図３に示すように、第１フィールドにおけるパネル透過率を‘１０’とするように制御したのでは、表示用データの供給が遅れる分、Ｇの発光期間におけるパネル透過率は低下してしまう。これに対し、第１フィールドにおけるパネル透過率を‘６０’とすることで、パネル透過率をより早く高めることを可能としている。即ち、液晶パネルの位置によって異なる変換法則を用いることで、表示用データの供給が遅れる場合でも、Ｇの発光期間におけるパネル透過率を十分に高めた状態とすることを可能としている。以上の結果、液晶パネル２００では、より明るい表示が可能となる。
【００７５】
尚、液晶パネル２００の位置によって液晶の制御を変更することで、単色に限らず、上述したＹのような中間色の表示の際にも、本実施形態の効果が得られる。即ち、より明るく、より適切な色調での表示が可能となる。
【００７６】
ここで、上述した本実施形態の効果は、第１、第２及び第３フィールドのようなフィールドを規定し、フィールド毎に表示用データの変換及び供給を行ったことによるが、規定されたフィールドを分割することによって、更に効果を高めることも可能である。例えば、規定されたフィールドの各々を、発光期間と重ならない第１サブフィールドと、発光期間と重なる第２サブフィールドとに分割し、サブフィールド毎に表示用データを供給することで、より明るさを向上させるような制御を行うことが可能である。より具体的には、第１サブフィールドにおいて、液晶パネル２００の画素部に対して１行おきに同時に表示用データを供給し、第２サブフィールドにおいて、残りの画素部に対して表示用データを供給する。この方法によれば、第１サブフィールドでは、複数行の画素部に対して表示用データが供給されるため、一行ずつ供給する場合と比較して、供給時間が少なく済む。よって、光が照射される第２サブフィールドの期間を長くとることができ、より明るい表示が可能となる。
【００７７】
以上説明したように、本実施形態に係る駆動方法によれば、液晶パネル２００における表示をより明るくし、更により適切な色調に近付けることが可能である。
【００７８】
＜電気光学装置＞
次に、本実施形態に係る駆動回路が適用される電気光学装置の構成について、図９及び図１０を参照して説明する。ここに図９は、本実施形態に係る液晶装置の構成を示す平面図であり、図１０は、図９のＨ−Ｈ´線断面図である。尚、以下では本発明の電気光学装置の一例として、駆動回路内蔵型のＴＦＴ（Thin Film Transistor）アクティブマトリクス駆動方式の液晶装置を例にとる。
【００７９】
図９及び図１０において、本実施形態に係る液晶装置では、ＴＦＴアレイ基板１０と対向基板２０とが対向配置されている。ＴＦＴアレイ基板１０は、例えば石英基板、ガラス基板、シリコン基板等の透明基板である。対向基板２０も、ＴＦＴアレイ基板１０と同様に、透明基板である。ＴＦＴアレイ基板１０と対向基板２０との間に液晶層５０が封入されている。ＴＦＴアレイ基板１０と対向基板２０とは、複数の画素電極が設けられた画像表示領域１０ａの周囲に位置するシール領域に設けられたシール材５２により相互に接着されている。
【００８０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材が散布されている。
【００８１】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００８２】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００８３】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００８４】
図１０において、ＴＦＴアレイ基板１０上には、画素スイッチング用のＴＦＴや走査線、データ線等の配線が形成された後の画素電極９ａ上に、配向膜が形成されている。画素電極９ａは、ＩＴＯ（Indium Tin Oxide）膜などの透明導電膜からなり、配向膜は、ポリイミド膜などの有機膜からなる。他方、対向基板２０上には、格子状又はストライプ状の遮光膜２３が形成された後に、その全面に亘って対向電極２１が設けられており、更には最上層部分に配向膜が形成されている。対向電極２１は、ＩＴＯ膜などの透明導電膜からなり、配向膜は、ポリイミド膜などの有機膜からなる。このように構成され、画素電極９ａと対向電極２１とが対面するように配置されたＴＦＴアレイ基板１０と対向基板２０との間には、液晶層５０が形成されている。液晶層５０は、例えば一種又は数種類のネマティック液晶を混合した液晶からなり、これら一対の配向膜間で所定の配向状態をとる。
【００８５】
尚、図９及び図１０に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００８６】
＜電子機器＞
次に、上述した電気光学装置である液晶装置を各種の電子機器に適用する場合について説明する。ここに図１１は、プロジェクタの構成例を概略的に示す平面図である。以下では、この液晶装置をライトバルブとして用いたプロジェクタについて説明する。
【００８７】
図１１に示されるように、プロジェクタ１１００内部には、ＲＧＢの３原色に夫々対応したＬＥＤ１１０Ｒ、１１０Ｇ及び１１０Ｂが設けられている。ＬＥＤ１１０Ｒ、１１０Ｇ及び１１０Ｂは、例えば６０Ｈｚの周期で夫々順次に光を投射する。ＬＥＤ１１０Ｒ、１１０Ｇ及び１１０Ｂから射出された投射光は、夫々合成プリズム３００に入射した後、ライトバルブとしての液晶パネル２００に対して出射される。
【００８８】
液晶パネル２００の構成は、上述した液晶装置と同等であり、画像信号処理回路から供給される信号でそれぞれ駆動されるものである。そして、液晶パネル２００によって変調された光は、投射レンズ４００を介して投影される。これにより、スクリーン等にカラー画像が投写されることとなる。
【００８９】
本実施形態に係るプロジェクタ１１００では、Ｒ、Ｇ、Ｂの各原色に対応するＬＥＤ１１０Ｒ、１１０Ｇ及び１１０Ｂが設けられているため、カラーフィルタを設けなくともよい。よって、コストの削減が可能な他、投射光がカラーフィルタを通過しないため、高輝度が得られる。
【００９０】
尚、図１１を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００９１】
本発明は、上述した実施形態に限られるものではなく、請求の範囲及び明細書全体から読み取れる発明の要旨或いは思想に反しない範囲で適宜変更可能であり、そのような変更を伴う表示装置の駆動方法及び駆動回路、並びに電気光学装置及び電子機器もまた本発明の技術的範囲に含まれるものである。
【図面の簡単な説明】
【００９２】
【図１】実施形態に係る駆動回路の構成を示すブロック図である。
【図２】緑色を表示する際の液晶制御に係る比較例を示すグラフである。
【図３】緑色を表示する際の液晶制御を示すグラフである。
【図４】変換部において用いられる変換テーブルの一例を示すテーブル図である。
【図５】黄色を表示する際の液晶制御に係る比較例を示すグラフである。
【図６】黄色を表示する際の液晶制御を示すグラフである。
【図７】液晶パネルにおける異なる位置での液晶制御に係る比較例である。
【図８】液晶パネルにおける異なる位置での液晶制御を示すグラフである。
【図９】実施形態に係る液晶装置の構成を示す平面図である。
【図１０】図９のＨ−Ｈ´線断面図である。
【図１１】電気光学装置を適用した電子機器の一例たるプロジェクタの構成を示す平面図である。
【符号の説明】
【００９３】
１０…ＴＦＴアレイ基板、１０ａ…画像表示領域、２０…対向基板、５０…液晶層、１１０…光源、１２０…変換部、１３０…コントローラ、１４０…フレームメモリ、２００…液晶パネル
【図１】
2009075508.tif 000003
【図２】
2009075508.tif 000004
【図３】
2009075508.tif 000005
【図４】
2009075508.tif 000006
【図５】
2009075508.tif 000007
【図６】
2009075508.tif 000008
【図７】
2009075508.tif 000009
【図８】
2009075508.tif 000010
【図９】
2009075508.tif 000011
【図１０】
2009075508.tif 000012
【図１１】
2009075508.tif 000013